(57)【要約】      （修正有）【課題】高所の天井裏内に配線ケーブル等の各種の配線を敷設する作業を容易に行うことができる天井裏通線作業用の補助ツールを提供する。【解決手段】天井裏通線作業用の補助ツール１は、支持部２と、基端側固定部３と、先端側固定部４と、固定機構と、を具備する。支持部２は、同心円状に配置された複数の筒体２ａ〜２ｅを伸縮可能に連結させている。基端側固定部３は、支持部２の基端部に配設され、床部に固定される。先端側固定部４は、支持部２の先端部に配設され、天井部に固定される。固定機構は、筒体２ａ〜２ｅを伸長させる方向に伸ばし、基端側固定部３を床部に当接させ、かつ先端側固定部４を天井部に当接させた状態で支持部２の筒体２ａ〜２ｅを移動不能な突っ張り状態で固定する。先端側固定部４は、複数の天井当て部９と、連結アームと、連結具１１と、工具本体保持部１２と、を具備する。【選択図】図１
2017147795.tif 000002
【特許請求の範囲】
【請求項１】
天井裏等に配線を通す天井裏通線作業用の補助ツールであって、
前記補助ツールは、
同心円状に配置された複数の筒体をその軸心方向に伸縮可能に連結させた支持部と、
この支持部の基端部に配設され、床部に固定される基端側固定部と、
前記支持部の先端部に配設され、天井部に固定される先端側固定部と、
前記支持部の筒体を伸長させる方向に伸ばし、前記基端側固定部を前記床部に当接させ、かつ前記先端側固定部を前記天井部に当接させた状態で前記支持部の筒体を移動不能な突っ張り状態で固定する固定機構と、
を具備し、
前記先端側固定部は、
前記天井部に形成された点検口の周囲に配置され、前記点検口の周囲の前記天井部と当接する弾性変形可能な複数の天井当て部と、
前記天井当て部間を連結する連結アームと、
前記連結アームと前記支持部の先端部との間を連結する連結具と、
天井裏通線作業用の工具の本体を保持する工具本体保持部と、
を具備する
ことを特徴とする天井裏通線作業用の補助ツール。
【請求項２】
前記連結アームは、Ｘ字状に配置された複数のアーム要素を有し、
前記アーム要素は、前記アーム要素の軸方向に伸縮し、長さ調整可能な長さ調整部を有する
ことを特徴とする請求項１に記載の天井裏通線作業用の補助ツール。
【請求項３】
前記工具の本体は、径の異なる複数の筒部が同心状に積層され、前記筒部が軸心方向に伸縮可能に配設された伸縮構造部と、
前記伸縮構造部の先端部に固定され、前記伸縮構造部内を前記筒部の軸心方向に進退可能に配設されたケーブルの先端部と連結された先端移動部材と、
前記伸縮構造部の基端部に固定された基端固定部材とを備え、
前記伸縮構造部内で前記ケーブルを前記筒部の軸心方向に進退させることで前記伸縮構造部の複数の筒部を連動して伸縮させることを特徴とする請求項１に記載の天井裏通線作業用の補助ツール。
【請求項４】
前記工具の本体は、前記先端移動部材に固定され、前記先端移動部材の前方を撮像可能な先端撮像部と、
前記基端固定部材に固定され、前記伸縮構造部の先端側を観察可能な第２の撮像部と、
前記先端撮像部と前記第２の撮像部で撮影された画像とを表示する表示部と、
を有することを特徴とする請求項３に記載の天井裏通線作業用の補助ツール。
【請求項５】
前記工具の本体は、前記先端移動部材の下に障害物を乗り越え可能なそり状の脚部を有することを特徴とする請求項３に記載の天井裏通線作業用の補助ツール。
【請求項６】
前記工具の本体は、前記先端移動部材の位置を検出可能な位置検出部を有することを特徴とする請求項３に記載の天井裏通線作業用の補助ツール。
【発明の詳細な説明】
【技術分野】
【０００１】
本発明は、例えば天井裏内に配線ケーブル等の各種の配線を敷設する天井裏通線作業用の補助ツールに関する。
【背景技術】
【０００２】
例えば商用施設等の高所、例えば４〜６ｍ程度の天井裏内に配線ケーブル等の各種の配線を敷設する場合には、作業者が脚立などの足場や高所作業台を使用してその作業を行っている。まず、脚立に乗った作業者が天井面の点検口を手作業で開操作する。続いて、脚立に乗った作業者が線状の通線ロッドなどの工具を使用して例えば５〜１０ｍ程度離れた位置にある他方の点検口や、ダウンライトなどの開口部側にケーブルを運び、天井裏内に配線ケーブル等の各種の配線を敷設する作業を行う。その後、脚立に乗った作業者が手作業で天井面の点検口を閉操作する。
【先行技術文献】
【特許文献】
【０００３】
【特許文献１】特開２０１４−１９３０３２号公報
【発明の概要】
【発明が解決しようとする課題】
【０００４】
しかしながら、このような従来の通線作業は、脚立などの足場や高所作業台を使用することになるので、複数の作業者が必要になり、作業能率が低い。また、一般家屋内の天井裏内に配線ケーブル等の各種の配線を敷設する場合に使用する天井裏通線作業用の工具のサイズを大型化して高所作業用の工具に適用することも考えられる。しかしながら、この場合には、工具全体の大きさや、重量が大きくなるので、取り扱いが難しくなり、高所に配線ケーブル等の各種の配線を敷設する作業が難しくなる。
【０００５】
本発明は上記事情に着目してなされたもので、その目的は、高所作業用に適用することができ、高所の天井裏内に配線ケーブル等の各種の配線を敷設する作業を容易に行うことができる天井裏通線作業用の補助ツールを提供することにある。
【課題を解決するための手段】
【０００６】
本発明の一局面の態様の天井裏通線作業用の補助ツールは、天井裏等に配線を通す天井裏通線作業用の補助ツールである。前記補助ツールは、支持部と、基端側固定部と、先端側固定部と、固定機構と、を具備する。支持部は、同心円状に配置された複数の筒体を伸縮可能に連結させている。基端側固定部は、この支持部の基端部に配設され、床部に固定される。先端側固定部は、前記支持部の先端部に配設され、天井部に固定される。固定機構は、前記支持部の筒体を伸長させる方向に伸ばし、前記基端側固定部を前記床部に当接させ、かつ前記先端側固定部を前記天井部に当接させた状態で前記支持部の筒体を移動不能な突っ張り状態で固定する。前記先端側固定部は、複数の天井受け部と、連結アームと、連結具と、工具本体保持部と、を具備する。複数の天井受け部は、前記天井部に形成された点検口の周囲に配置され、前記点検口の周囲の前記天井部と当接した状態で弾性変形可能である。連結アームは、前記天井受け部間を連結する。連結具は、前記連結アームと前記支持部の先端部との間を連結する。工具本体保持部は、天井裏通線作業用の工具の本体を保持する。  
そして、上記構成では、天井裏通線作業用の補助ツールの使用時には、天井裏通線作業用の工具の本体を工具本体保持部に保持させる。この状態で、支持部の筒体を伸長させる方向に伸ばし、基端側固定部を床部に当接させ、かつ先端側固定部を天井部に当接させた状態で固定機構によって支持部の筒体を移動不能な突っ張り状態で固定する。これにより、補助ツールを床部と天井部との間で自立させる。このとき、天井部の点検口の周囲に複数の天井受け部を配置することで、先端側固定部を天井部に安定に固定するとともに、複数の天井受け部を弾性変形させることで、天井部の傷つきを防止する。これにより、工具本体保持部に保持させた天井裏通線作業用の工具の本体を床から操作可能にしたものである。
【０００７】
好ましくは、前記連結アームは、Ｘ字状に配置された複数のアーム要素を有し、前記アーム要素は、前記アーム要素の軸方向に伸縮し、長さ調整可能な長さ調整部を有する。  
そして、上記構成では、連結アームの複数のアーム要素を軸方向に伸縮することで、天井部の点検口の大きさに合わせて連結アームの長さを調整できるようにしたものである。
【０００８】
好ましくは、前記工具の本体は、伸縮構造部と、先端移動部材と、基端固定部材とを備えている。伸縮構造部は、径の異なる複数の筒部が同心状に積層され、前記筒部が軸心方向に伸縮可能に配設される。先端移動部材は、前記伸縮構造部の先端部に固定され、前記伸縮構造部内を前記筒部の軸心方向に進退可能に配設されたケーブルの先端部と連結される。基端固定部材は、前記伸縮構造部の基端部に固定される。そして、前記伸縮構造部内で前記ケーブルを前記筒部の軸心方向に進退させることで前記伸縮構造部の複数の筒部を連動して伸縮させる。  
そして、上記構成では、天井部の点検口の狭いスペースであっても天井裏通線作業用の工具の伸縮構造部を収縮させた状態で挿入可能であり、前記伸縮構造部内で前記ケーブルを前記筒部の軸心方向に進退させて天井裏の空間内で通線作業を行うことができる。
【０００９】
好ましくは、前記工具の本体は、先端撮像部と、第２の撮像部と、表示部と、を有する。先端撮像部は、前記先端移動部材に固定され、前記先端移動部材の前方を撮像可能である。第２の撮像部は、前記基端固定部材に固定され、前記伸縮構造部の先端側を観察可能である。表示部は、前記先端撮像部と前記第２の撮像部で撮影された画像とを表示する。  
そして、上記構成では、先端移動部材に固定された先端撮像部で先端移動部材の前方を撮像し、基端固定部材に固定された第２の撮像部で前記伸縮構造部の先端側を観察し、先端撮像部と前記第２の撮像部で撮影された画像とを表示部で表示することで、工具の本体の操作を容易に行えるようにした。
【００１０】
好ましくは、前記先端移動部材の下に障害物を乗り越え可能なそり状の脚部を有する。  
そして、上記構成では、天井裏の床上に障害物がある場合であっても伸縮構造部の伸縮時に、そり状の脚部が障害物を乗り越えることで、工具の本体の移動を続行させることができるようにしたものである。
【００１１】
好ましくは、前記工具の本体は、前記先端移動部材の位置を検出可能な位置検出部を有する。  
そして、上記構成では、位置検出部によって先端移動部材の現在位置を検出することで、天井裏の通線作業を行いやすくしたものである。
【発明の効果】
【００１２】
本発明によれば、高所作業用に適用することができ、高所の天井裏内に配線ケーブル等の各種の配線を敷設する作業を容易に行うことができる天井裏通線作業用の補助ツールを提供することができる。
【図面の簡単な説明】
【００１３】
【図１】図１は、第１実施形態に係る天井裏通線作業用の補助ツール全体の斜視図である。
【図２】図２は、第１実施形態の天井裏通線作業用の補助ツールの作業対象の天井部の点検口の周縁部位に補助ツールの先端側固定部を固定した状態を示す斜視図である。
【図３】図３は、第１実施形態の天井裏通線作業用の補助ツールに保持される天井裏通線作業用の工具の本体を示す斜視図である。
【図４】図４は、図３の天井裏通線作業用の工具の伸縮可能な伸縮構造部の斜視図である。
【図５】図５は、図４の伸縮構造部の先端部分の縦断面図である。
【図６】図６は、図４の伸縮構造部を収縮した状態を示す側面図である。
【図７】図７は、天井裏通線作業用の工具の電気部品の接続状態を示すブロック図である。
【図８】図８は、天井裏通線作業用の補助ツールの固定機構の一例を示すもので、（Ａ）は係合ピンの係合状態、（Ｂ）は係合ピンの係合解除状態をそれぞれ示す縦断面図である。
【発明を実施するための形態】
【００１４】
（構成）  
図１乃至図８（Ａ），（Ｂ）は、本発明の第１の実施の形態を示す。図１は本発明の第１の実施の形態の天井裏通線作業用の補助ツール１全体の斜視図である。本実施形態の天井裏通線作業用の補助ツール１は、例えば商用施設等の高所の天井裏内に配線ケーブルや、光ファイバ等の各種の配線を敷設する場合に使用される。補助ツール１は、操作棒である支持部２と、基端側固定部３と、先端側固定部４と、固定機構５と、を具備する。
【００１５】
支持部２は、同心円状に配置された複数、本実施形態では例えば５段の筒体２ａ〜２ｅを伸縮可能に連結させている。最下段には、最も外径が大きい第１筒体２ａが配置されている。この第１筒体２ａの内部には、外径が順次小さくなる第２筒体２ｂ〜第５筒体２ｅが同心状に重ね合わされた状態で積層されている。最も外径が小さい第５筒体２ｅの先端部には、必要に応じて各種の工具を着脱可能に取り付ける工具連結部２ｆを有する。
【００１６】
支持部２の各筒体（第１筒体２ａ〜第５筒体２ｅ）の先端部（図１中で上端部）には、それぞれ係合ピン５１（図８（Ａ），（Ｂ）参照）の係合穴５ａ、５ｂ、５ｃ、５ｄ、５ｅが設けられている。また、支持部２の第１筒体２ａ〜第４筒体２ｄの内周側にそれぞれ隣接する第２筒体２ｂ〜第５筒体２ｅの基端部（図１中で下端部）および工具連結部２ｆには、各係合穴５ａ〜５ｅに係脱可能に係合される係合ピン５１が設けられている。これらの係合穴５ａ〜５ｅと係合ピン５１とによって固定機構５が形成されている。
【００１７】
例えば、最も外径が大きい第１筒体２ａの内側に隣接する第２筒体２ｂの基端部には、図８（Ａ）に示すように第１筒体２ａの係合穴５ａに係脱可能に係合される係合ピン５１が設けられている。この係合ピン５１は、第２筒体２ｂに外向きに突没可能に支持され、常時はばねなどの付勢部材５２により第２筒体２ｂの外向きに突出される方向に付勢されている。そして、図１に示すように支持部２の第１筒体２ａ〜第５筒体２ｅを収縮させた状態では、係合ピン５１は、付勢部材５２に抗して第２筒体２ｂの内側に没入された没入位置で保持される。このとき、係合ピン５１の先端部は、第２筒体２ｂの外側の第１筒体２ａの内周面に圧接された状態（非係合状態）で保持される。また、図２に示すように支持部２の第１筒体２ａ〜第５筒体２ｅのいずれか１または複数が引き出された場合には、引き出された筒体２ｅの係合穴５ａと係合ピン５１の位置が一致した状態で、付勢部材５２の付勢力により第５筒体２ｅの係合ピン５１が第４筒体２ｄの係合穴５ｄに挿入されて係合される。
【００１８】
例えば図２に示すように第４筒体２ｄから第５筒体２ｅが引き出された場合には、第４筒体２ｄの係合穴５ｄと係合ピン５１の位置が一致した状態で、付勢部材５２の付勢力により第５筒体２ｅの係合ピン５１が第４筒体２ｄの係合穴５ｄに挿入されて係合される。これにより、第４筒体２ｄから第５筒体２ｅが引き出された状態で係止される。なお、第１筒体２ａから第２筒体２ｂが引き出された場合、第２筒体２ｂから第３筒体２ｃが引き出された場合、第３筒体２ｃから第４筒体２ｄが引き出された場合も同様である。これにより、支持部２の５段の筒体２ａ〜２ｅのいずれか１または複数を引き出すことで、支持部２の長さ（高さ）を任意の長さ（高さ）に調整することができる。
【００１９】
なお、第１筒体２ａ〜第５筒体２ｅには、係合穴５ａ〜５ｅをそれぞれ軸方向に複数並設し、係合ピン５１と係合穴５ａ〜５ｅとの係合位置を軸方向に複数段に調整することで、支持部２を所望の長さに調整可能にしてもよい。さらに、支持部２は、第１筒体２ａ〜第５筒体２ｅの各筒体をそれぞれ係合方向に軸回りに回転操作することで、引出長さ（高さ）が固定され、係合方向と逆方向に回転操作することで、各筒体の係合が解除される固定手段を有する構成であってもよい。
【００２０】
基端側固定部３は、支持部２の基端部に配設され、商用施設等の床部６（図２参照）に固定される。ここで、第１筒体２ａの基端部の付近には、略Ｕ字形状の踏板部材７を備える。踏板部材７は、第１筒体２ａの基端部に回動軸７ａを中心に回動可能に連結されている。そして、踏板部材７は、第１筒体２ａの軸心方向と直交する方向に突出させた使用位置（図２参照）と、この使用位置からほぼ９０°回動させた収納位置（図１参照）とに移動可能に支持されている。補助ツール１の不使用時には、踏板部材７は、収納位置に回動され、第１筒体２ａの外周面に沿って重ねられた状態に折り畳まれている。また、補助ツール１の使用時には、踏板部材７を使用位置に引き出した状態において、作業者により踏板部材７を踏まれることにより支持部２を立脚状態で保持する。これにより、基端側固定部３は、商用施設等の床部６（図２参照）に固定される。
【００２１】
先端側固定部４は、支持部２の先端部に配設され、商用施設等の高所の天井部８（図２参照）に固定される。図２は、第１実施形態の天井裏通線作業用の補助ツール１の作業対象の天井部８の点検口８ａの周縁部位に補助ツール１の先端側固定部４を固定した状態を示す斜視図である。先端側固定部４は、複数、本実施形態では４個の天井当て部９と、連結アーム１０と、連結具１１と、工具本体保持部１２と、を具備する。
【００２２】
各天井当て部９は、例えば、ゴム等の弾性部材で形成された円柱状のパッド部材１３を有する。連結アーム１０は、例えばＸ字状に配置された４本のアーム要素である第１アーム１０ａと、第２アーム１０ｂと、第３アーム１０ｃと、第４アーム１０ｄとを有する。各アーム１０ａ〜１０ｄの基端部は、連結具１１によって連結されている。各アーム１０ａ〜１０ｄの先端部には、それぞれパッド部材１３を保持する受部が形成されている。連結アーム１０は、天井当て部９の４個のパッド部材１３間を連結する。
【００２３】
そして、補助ツール１の使用時には、支持部２の５段の筒体２ａ〜２ｅを適宜の長さに引き伸ばし、伸長させることにより、先端側固定部４を天井部８の点検口８ａの周縁部位に接近させる。この状態で、図２に示すように先端側固定部４の４個のパッド部材１３を天井部８の点検口８ａの周囲に配置させ、点検口８ａの周囲の天井部８と当接した状態で弾性変形させる。
【００２４】
ここで、点検口８ａは、一般的に矩形状の開口部によって形成されている。この点検口８ａは、点検口８ａを閉塞可能な開閉扉８ｂを有する。開閉扉８ｂは、点検口８ａの矩形状の一辺側に設けた回動軸を中心に回動可能に連結されている。開閉扉８ｂにおける回動軸とは反対側の端部には、開閉扉８ｂの表側に配置された図示しない開閉つまみと、開閉扉８ｂの裏側に配置された図示しない係止部材とが設けられている。開閉つまみと係止部材とは、例えば共通の回動軸の両端に固定され、回動軸を中心に開操作位置と閉操作位置との間で回動可能に連結されている。
【００２５】
通常は、点検口８ａは、開閉扉８ｂによって点検口８ａが閉じられた状態で開閉つまみを閉操作位置に回動させた状態で保持される。このとき、係止部材は、天井部８側の係止具に係脱可能に係止されている。そして、点検口８ａを開く場合には、開閉つまみを開操作位置に回動させ、係止部材を天井部８側の係止具との係合を解除した状態で、開閉扉８ｂを点検口８ａの矩形状の一辺側の回動軸を中心に回動させる。このとき、開閉扉８ｂは、図２に示すようにほぼ鉛直状態に吊り下げられる。
【００２６】
そのため、本実施形態では、第４アーム１０ｄのパッド部材１３の側面を開閉扉８ｂに当接させた状態で固定する。これにより、補助ツール１の４個のパッド部材１３を天井部８側に柔軟に、かつ安定に当接させることができる。
【００２７】
なお、各アーム１０ａ〜１０ｄは、それぞれ軸方向に伸縮し、長さ調整可能な長さ調整部を有する構造にしてもよい。この場合は、点検口８ａの大きさに合わせて各アーム１０ａ〜１０ｄの長さを調整することができ、大きさが異なる点検口８ａであっても１つの補助ツール１で使用可能である。
【００２８】
そして、補助ツール１は、基端側固定部３を床部６に当接させた状態で、支持部２の５段の筒体２ａ〜２ｅのいずれか１または複数を伸長させる方向に伸ばし、先端側固定部４を天井部８に当接させる。この状態で支持部２の第１筒体２ａ〜第５筒体２ｅのすべてを移動不能な突っ張り状態で固定することで、補助ツール１を床部６と天井部８との間で自立させることができる。
【００２９】
連結具１１は、連結アーム１０の各アーム１０ａ〜１０ｄの基端部の連結部と支持部２の先端部の工具連結部２ｆとの間を連結する。工具本体保持部１２は、後述する天井裏通線作業用の工具１４の本体１４ａを保持する。工具本体保持部１２は、図３に示すように金属板で形成されたほぼＵ字状のフレーム１５を有する。このフレーム１５は、支持部２の軸方向と直交する方向に延設された底部１５ａと、この底部１５ａの両端部をそれぞれ上向きにＬ字状に屈曲させた２つの屈曲部１５ｂ、１５ｃとを有する。
【００３０】
フレーム１５の底部１５ａの中央位置には、工具本体保持部１２の支持棒１２ａが貫通された状態で固定ナットで固定されている。この支持棒１２ａの基端部（図３中で下端部）は、連結具１１に連結されている。例えば、連結具１１は、管状部材を有し、この管状部材の内部に支持棒１２ａの基端部が挿入された状態で、管状部材の外周面側から挿入される図示しない固定ねじで支持棒１２ａの基端部が連結具１１に固定されている。
【００３１】
フレーム１５の一方の屈曲部１５ｂの先端部には、樹脂製の第１工具ホルダ１６の基端部が固定されている。同様に、フレーム１５の他方の屈曲部１５ｃの先端部には、樹脂製の第２工具ホルダ１７の基端部が固定されている。また、フレーム１５の底部１５ａにおける屈曲部１５ｃ側には、底部１５ａと同方向に延在する支持アーム１５ｄの一端が固定されている。この支持アーム１５ｄの他端には、通線対象の光ファイバなどのケーブル１８を挿通するケーブルガイドチューブ１９の一端部（図１中で上端部）が固定されている。
【００３２】
第１工具ホルダ１６の先端部（図３中で上端部）には、ほぼＣ字状のホルダ本体１６ａが設けられている。同様に、第２工具ホルダ１７の先端部（図３中で上端部）には、ほぼＣ字状のホルダ本体１７ａが設けられている。
【００３３】
図３は、第１実施形態の天井裏通線作業用の補助ツール１に保持される天井裏通線作業用の工具１４の本体１４ａを示す斜視図である。天井裏通線作業用の工具１４の本体１４ａは、伸縮構造部２０と、先端移動部材２１と、基端固定部材２２とを有する。図４に示すように伸縮構造部２０は、径の異なる複数、本実施形態では５個の筒部２０ａ、２０ｂ、２０ｃ、２０ｄ、２０ｅが同心状に積層されている。ここで、最大径の第１筒部２０ａと、第２筒部２０ｂと、第３筒部２０ｃと、第４筒部２０ｄと、最小径の第５筒部２０ｅと、が順次小径となって形成され、互いに軸心方向に伸縮可能に接続されている。これら第１〜第５筒部２０ａ〜２０ｅはいずれも円筒状のストレート構造に形成されている。
【００３４】
なお、伸縮構造部２０は６つ以上の筒部を接続して形成してもよいし、４つ以下の筒部を接続して形成してもよい。また、第１〜第５筒部２０ａ〜２０ｅはカーボン等の強度が高く軽量の材質を用いることが好ましい。
【００３５】
図５は伸縮構造部２０における隣接する筒部同士の接続構造を示すもので、例えば、最小径の第５筒部２０ｅと次に大径の第４筒部２０ｄとの接続構造を示す。ここで、第４筒部２０ｄの先端にはリング状に内外に突出する先端フランジ部２０ｄ１が形成され、第５筒部２０ｅの後端にはリング状に外側に突出する後端フランジ部２０ｅ１が形成されている。そして、第４筒部２０ｄの先端フランジ部２０ｄ１に第５筒部２０ｅの後端フランジ部２０ｅ１が係合することで第５筒部２０ｅが第４筒部２０ｄから離脱しないように進退可能に接続されている。
【００３６】
上述の構成は第１筒部２０ａと第２筒部２０ｂ、第２筒部２０ｂと第３筒部２０ｃ、第３筒部２０ｃと第４筒部２０ｄとの間にも形成されている。そのため、第１乃至第５筒部２０ａ〜２０ｅが最も伸張した接続状態が図４に示すものであり、最も収縮した接続状態が図６に示すように各筒部２０ａ〜２０ｄの先端フランジ部２０ａ１、２０ｂ１、２０ｃ１、２０ｄ１が互いに当接した構成となっている。なお、第５筒部２０ｅには先端フランジ部は設けられていないので図６に現れない。天井裏通線作業用の工具１４の本体１４ａは、伸縮構造部２０を最も収縮させた状態で、天井部８の点検口８ａ、あるいは図示しないダウンライトの穴から侵入させて天井部８の裏側空間内に挿入することができる。
【００３７】
伸縮構造部２０の先端部には、先端移動部材２１、伸縮構造部２０の基端部には、基端固定部材２２がそれぞれ連結されている。先端移動部材２１は、伸縮構造部２０の第５筒部２０ｅの先端部に固定された先端筒体２３が設けられている。この先端筒体２３の先端には、カメラ支持部材２４が固定されている。このカメラ支持部材２４の図３および図４中で上端部には、先端移動部材２１の前方を撮像可能な先端カメラ（先端撮像部）２５が設けられている。このカメラ支持部材２４の図３および図４中で下端部には、障害物を乗り越え可能なそり状の左右一対の脚部２６を有する。一対の脚部２６には、伸縮構造部２０の伸縮方向に対して前後の両端部に図４中で上向きに湾曲させた湾曲部（前方湾曲部２６ａと、後方湾曲部２６ｂ）が形成されている。
【００３８】
基端固定部材２２には、伸縮構造部２０の第１筒部２０ａの基端部に固定された第２カメラ支持部材２７が設けられている。この第２カメラ支持部材２７の図３中で上端部には、伸縮構造部２０の先端側を観察可能な第２カメラ（第２の撮像部）２８が設けられている。図７に示すようにこの第２カメラ２８および先端カメラ２５は、有線、あるいは無線によりコントローラ２９に接続されている。このコントローラ２９には、例えばタブレット端末などのモニタ（表示部）３０および照明具３１、先端移動部材２１の位置を検出可能な位置検出部３２などがそれぞれ接続されている。そして、モニタ３０には、先端カメラ２５と第２カメラ２８で撮影された画像や、先端移動部材２１の位置情報などが表示される。
【００３９】
モニタ３０は、例えば、補助ツール１の支持部２に固定された固定台３３に取り付けられている。なお、モニタ３０の取付け場所は、これに限定されるものではなく、必要に応じて任意の場所に取り付けることができる。
【００４０】
照明具３１は、例えば先端移動部材２１の先端筒体２３の先端に固定してもよい。また、照明具３１は、天井裏通線作業用の工具１４を挿入する点検口８ａとは異なる位置、例えば通線作業の目標位置の天井部８の点検口８ａ、あるいは図示しないダウンライトの穴から侵入させて天井部８の裏側空間内に挿入することもできる。
【００４１】
また、本実施形態の天井裏通線作業用の工具１４で使用される通線対象の長尺な光ファイバなどのケーブル１８は、予めドラム３４に巻装されている。天井裏通線作業用の工具１４の使用時には、図１に示すように天井裏通線作業用の補助ツール１の工具本体保持部１２に天井裏通線作業用の工具１４の本体１４ａが組み付けられる。この工具１４の組み付け作業時には、第１工具ホルダ１６のホルダ本体１６ａに工具１４の伸縮構造部２０の第１筒部２０ａの先端部分、第２工具ホルダ１７のホルダ本体１７ａに伸縮構造部２０の第１筒部２０ａの基端部分がそれぞれセットされる。
【００４２】
その後、ドラム３４から通線対象の長尺な光ファイバなどのケーブル１８を繰り出す。ドラム３４から繰り出されたケーブル１８は、ケーブルガイドチューブ１９に挿入され、このケーブルガイドチューブ１９の内部を経由して、工具１４の伸縮構造部２０の内部に挿入される。
【００４３】
さらに、ケーブル１８の先端部は、先端移動部材２１の先端筒体２３内に挿入され、先端筒体２３にねじ止めなどの適宜の係止手段により係止することで一体化されている。そのため、ケーブルガイドチューブ１９の後方において、ケーブル１８を進退させることで、ケーブル１８の先端部と工具１４の伸縮構造部２０の第１乃至第５筒部２０ａ〜２０ｅが一体に伸縮することになる。
【００４４】
（作用）  
次に、上記構成の天井裏通線作業用の補助ツール１の作用について説明する。本実施の形態の天井裏通線作業用の補助ツール１の使用時には、まず、天井裏通線作業用の補助ツール１の工具本体保持部１２に天井裏通線作業用の工具１４の本体１４ａが組み付けられて一体化される。
【００４５】
この状態で、天井裏通線作業目的の天井部８の点検口８ａに天井裏通線作業用の工具１４を挿入する作業が行われる。この作業時には、上述した通り、補助ツール１を床部６と天井部８との間で自立させる作業が行われる。このとき、補助ツール１は、基端側固定部３を床部６に当接させ、踏板部材７を使用位置に引き出した状態において、作業者により踏板部材７を踏まれることにより支持部２を立脚状態で保持する。これにより、基端側固定部３は、商用施設等の床部６（図２参照）に固定される。
【００４６】
続いて、支持部２の５段の筒体２ａ〜２ｅのいずれか１または複数を伸長させ、天井部８の点検口８ａに支持部２の先端部の工具本体保持部１２と一緒に天井裏通線作業用の工具１４の本体１４ａを挿入する。
【００４７】
その後、支持部２の伸長動作によって先端側固定部４の４個の天井当て部９を天井部８に当接させる。この状態で支持部２の第１筒体２ａ〜第５筒体２ｅのすべてを移動不能な突っ張り状態で固定することで、補助ツール１を床部６と天井部８との間で自立させる。
【００４８】
また、天井裏通線作業用の工具１４を挿入する点検口８ａとは異なる位置、例えば通線作業の目標位置の天井部８の点検口８ａ、あるいは図示しないダウンライトの穴から照明具３１を侵入させて天井部８の裏側空間内に挿入する。この照明具３１によって天井部８の裏側空間内を照明した状態で、天井裏通線作業用の工具１４を使用してケーブル１８を天井裏に通線する作業が行われる。この作業時には、先端カメラ２５と第２カメラ２８で撮影された画像がモニタ３０に表示される。なお、照明具３１に第３カメラを取り付け、第３カメラで撮影された画像もモニタ３０に表示される構成にしてもよい。
【００４９】
この状態で、ケーブルガイドチューブ１９の後方において、ケーブル１８を進退させることで、ケーブル１８の先端部と工具１４の伸縮構造部２０の第１乃至第５筒部２０ａ〜２０ｅが一体に伸縮する。そのため、通線作業時には、ケーブル１８を押出すことで、伸縮構造部２０の第１乃至第５筒部２０ａ〜２０ｅが一体に伸びる方向に前進する。このとき、先端移動部材２１のそり状の左右一対の脚部２６が天井裏の床面上を摺動する状態で移動する。そのため、天井裏の床面上に障害物がある場合は、一対の脚部２６の前方湾曲部２６ａが障害物を乗り越えることができる。その結果、天井裏の床面上の障害物によって先端移動部材２１の前進が止められることを防止することができ、効率よく通線作業の目標位置までケーブル１８を通線させることができる。
【００５０】
また、一対の脚部２６には、前方湾曲部２６ａと後方湾曲部２６ｂとが形成されているので、伸縮構造部２０を手元側に引き戻す場合には、後方湾曲部２６ｂが障害物を乗り越えることができる。そのため、伸縮構造部２０を手元側に引き戻す場合も先端移動部材２１が天井裏の床面上に障害物によって後退動作が止められることを防止することができる。
【００５１】
（効果）  
上記構成の本実施の形態の天井裏通線作業用の補助ツール１では、使用時には、天井裏通線作業用の工具１４の本体１４ａを工具本体保持部１２に保持させる。この状態で、支持部２の第１筒体２ａ〜第５筒体２ｅを伸長させる方向に伸ばし、基端側固定部３を床部６に当接させ、かつ先端側固定部４を天井部８に当接させた状態で固定機構５によって支持部２の第１筒体２ａ〜第５筒体２ｅを移動不能な突っ張り状態で固定する。これにより、補助ツール１を床部６と天井部８との間で自立させる。このとき、天井部８の点検口８ａの周囲に配置した複数のパッド部材１３によって、先端側固定部４を天井部８に安定に固定する。さらに、複数のパッド部材１３を弾性変形させることで、天井部８の例えば石膏ボードなどの傷つきを防止する。これにより、工具本体保持部１２に保持させた天井裏通線作業用の工具１４の本体１４ａを操作することができる。
【００５２】
したがって、本実施の形態の天井裏通線作業用の補助ツール１では、床部６と天井部８との間で自立させた補助ツール１の工具本体保持部１２に天井裏通線作業用の工具１４の本体１４ａを保持させるようにしたので、例えば商用施設等の高所の天井裏通線作業用の工具１４を作業者が直接支持する必要がない。そのため、高所の天井裏内に配線ケーブル等の各種の配線を敷設する作業を天井部８から離れた床部６側から安全に容易に行うことができる。このとき、作業者は、通線対象の長尺な光ファイバなどのケーブル１８を両手を用いて押し引きする作業を行うことができる。このため、ケーブル１８を押し引きする作業を、簡単に短時間で行うことができ、作業者の疲労を軽減することができる。
【００５３】
また、先端側固定部４の連結アーム１０は、Ｘ字状に配置された４本のアーム１０ａ〜１０ｄがそれぞれ各アーム１０ａ〜１０ｄの軸方向に伸縮し、長さ調整可能な長さ調整部を設けてもよい。この場合は、連結アーム１０の各アーム１０ａ〜１０ｄを軸方向に伸縮することで、天井部８の点検口８ａの大きさに合わせて連結アーム１０の長さを調整できる。そのため、点検口８ａの大きさに合わせて各アーム１０ａ〜１０ｄの長さを調整することができ、大きさが異なる点検口８ａであっても１つの補助ツール１で使用可能である。
【００５４】
また、天井裏通線作業用の工具１４の本体１４ａは、伸縮構造部２０と、先端移動部材２１と、基端固定部材２２とを備えている。伸縮構造部２０は、径の異なる５個の筒部２０ａ、２０ｂ、２０ｃ、２０ｄ、２０ｅが同心状に積層され、各筒部２０ａ、２０ｂ、２０ｃ、２０ｄ、２０ｅが軸心方向に伸縮可能に配設される。先端移動部材２１は、伸縮構造部２０の先端部に固定され、伸縮構造部２０内を各筒部２０ａ、２０ｂ、２０ｃ、２０ｄ、２０ｅの軸心方向に進退可能に配設されたケーブル１８の先端部と連結される。そして、伸縮構造部２０内でケーブル１８を各筒部２０ａ、２０ｂ、２０ｃ、２０ｄ、２０ｅの軸心方向に進退させることで伸縮構造部２０の各筒部２０ａ、２０ｂ、２０ｃ、２０ｄ、２０ｅのを連動して伸縮させる。
【００５５】
そのため、上記構成の天井裏通線作業用の工具１４では、天井部８の点検口８ａの狭いスペースであっても天井裏通線作業用の工具１４の伸縮構造部２０を収縮させた状態で挿入可能である。そして、伸縮構造部２０内でケーブル１８を各筒部２０ａ、２０ｂ、２０ｃ、２０ｄ、２０ｅの軸心方向に進退させて天井裏の空間内で通線作業を行うことができる。
【００５６】
さらに、工具１４の本体１４ａは、先端カメラ２５と、第２カメラ２８と、モニタ３０と、を有する。そして、先端カメラ２５で先端移動部材２１の前方を撮像し、第２カメラ２８で、伸縮構造部２０の先端側を観察し、先端カメラ２５と第２カメラ２８で撮影された画像をモニタ３０に表示する。これにより、モニタ３０に表示される画像を作業者が目視することで、天井裏の空間内で目標を常に捕らえることができるので、方向感を無くさないようにすることができる。そのため、真っ暗な屋根裏でも工具１４の本体１４ａの操作を容易に行うことができる。
【００５７】
また、本実施形態の天井裏通線作業用の工具１４は、先端移動部材２１の下にそり状の左右一対の脚部２６を有する。そのため、天井裏の床上に障害物がある場合であっても伸縮構造部２０の伸縮時に、そり状の脚部２６が障害物を乗り越えることで、工具１４の本体１４ａの移動を続行させることができる。
【００５８】
さらに、工具１４の本体１４ａは、先端移動部材２１の位置を検出可能な位置検出部３２を有する。この位置検出部３２によって先端移動部材２１の現在位置を検出することで、配線距離が長い場合であっても天井裏の通線作業を行いやすくすることができる。
【００５９】
さらに、本発明は上記実施の形態に限定されるものではなく、本発明の要旨を逸脱しない範囲で種々変形実施できることは勿論である。
【符号の説明】
【００６０】
１…補助ツール、２…支持部、２ａ…第１筒体、２ｂ…第２筒体、２ｃ…第３筒体、２ｄ…第４筒体、２ｅ…第５筒体、２ｆ…工具連結部、３…基端側固定部、４…先端側固定部、５…固定機構、５ａ〜５ｅ…係合穴、６…床部、７…踏板部材、７ａ…回動軸、８…天井部、８ａ…点検口、８ｂ…開閉扉、９…天井当て部、１０…連結アーム、１０ａ…第１アーム、１０ｂ…第２アーム、１０ｃ…第３アーム、１０ｄ…第４アーム、１１…連結具、１２…工具本体保持部、１２ａ…支持棒、１３…パッド部材、１４…工具、１４ａ…本体、１５…フレーム、１５ａ…底部、１５ｂ…屈曲部、１５ｃ…屈曲部、１５ｄ…支持アーム、１６…第１工具ホルダ、１６ａ…ホルダ本体、１７…第２工具ホルダ、１７ａ…ホルダ本体、１８…ケーブル、１９…ケーブルガイドチューブ、２０…伸縮構造部、２０ａ…第１筒部、２０ａ１…先端フランジ部、２０ｂ…第２筒部、２０ｂ１…先端フランジ部、２０ｃ…第３筒部、２０ｃ１…先端フランジ部、２０ｄ…第４筒部、２０ｄ１…先端フランジ部、２０ｅ…第５筒部、２０ｅ１…後端フランジ部、２１…先端移動部材、２２…基端固定部材、２３…先端筒体、２４…カメラ支持部材、２５…先端カメラ（先端撮像部）、２６…脚部、２６ａ…前方湾曲部、２６ｂ…後方湾曲部、２７…カメラ支持部材、２８…第２カメラ（第２の撮像部）、２９…コントローラ、３０…モニタ、３１…照明具、３２…位置検出部、３３…固定台、３４…ドラム、５１…係合ピン、５２…付勢部材。
【図１】
2017147795.tif 000003
【図２】
2017147795.tif 000004
【図３】
2017147795.tif 000005
【図４】
2017147795.tif 000006
【図５】
2017147795.tif 000007
【図６】
2017147795.tif 000008
【図７】
2017147795.tif 000009
【図８】
2017147795.tif 000010